(57)【要約】      （修正有）【課題】物品に設けたブザーを、当該物品から離れた位置からでも鳴動できるようにする。【解決手段】靴１０は、例えば認知症などの要介護者が履く。そして、リモコン装置５０は、例えば介護者が持つ。介護者は、例えば要介護者と一緒に外出するような場合に、ダイヤルスイッチ２２を目盛ＰＷの位置まで回しておく。これにより、鳴動制御装置は待機状態となる。ここで、介護者が要介護者を見失ったとすると、介護者はリモコン装置５０のスイッチ６６を「オン」とする。すると、リモコン装置５０から電波が送信され、この電波が靴１０の鳴動制御装置３０で受信されて、ブザー２０が鳴動する。介護者は、このブザー音を聞くことで、要介護者がいずれの方向にいるかを知ることができる。【選択図】図１
0003124438.tif 000002
【実用新案登録請求の範囲】
【請求項１】
ブザー及び鳴動制御装置を備えており、この鳴動制御装置が、
前記ブザーの鳴動しない「オフ」，前記ブザーを鳴動する「オン」，外部からの電波の受信により前記ブザーを鳴動する「ウエイティング」，の３つの動作状態を有しており、
前記３つの動作状態を切り換えるためのスイッチ手段と、
このスイッチ手段が「オン」となったときに、前記ブザーに鳴動信号を供給する鳴動手段と、
前記スイッチ手段が「ウエイティング」となったときに、外部からの電波の受信に基づいて前記ブザーに鳴動信号を供給する受信手段と、
を備えたことを特徴とする鳴動物品。
【請求項２】
スイッチ操作に応じて、請求項１記載の鳴動物品に対し、ブザーを鳴動させるための鳴動信号を電波として送信する送信手段を備えたことを特徴とするリモコン装置。
【請求項３】
請求項１記載の鳴動物品と、請求項２記載のリモコン装置とを備えており、
前記鳴動物品が前記「ウエイティング」の状態のときに前記リモコン装置の送信手段から電波が送信されると、前記鳴動物品の受信手段で電波を受信して、前記ブザーに鳴動信号が供給されることを特徴とする鳴動システム。
【考案の詳細な説明】
【技術分野】
【０００１】
本考案は、鳴動物品，リモコン装置及び鳴動システムに関し、例えば行方不明になった認知症の患者を介護者が探したり、奪い捕られた所持品を探すような場合に好適な鳴動物品，リモコン装置及び鳴動システムに関するものである。
【背景技術】
【０００２】
物品が鳴動ないし発音するようにした背景技術としては、例えば、下記特許文献１に記載された物品収納体がある。
これによれば、第１の物品収納体は、ブザーと、その駆動電源である電池と、オン・オフするスイッチと、このスイッチがオンしたときに前記ブザーの音を発するように制御するブザー制御回路とを備えている。
前記ブザーを取り付けるベースは、収納体本体の外表面に設けられた開口縁部と収納体本体の裏に設けられた裏地との間に位置し、更にこのベースには、前記ブザーを覆い、外方に臨むように設けられたカバーが設けられている。
【０００３】
これによれば、ブザーを取り付けるベースを、収納体本体の外表面に設けられた開口縁部と前記物品収納体の本体の裏に設けられた裏地との間に位置させたため、物品収納体にブザーを取り付けることに伴う物品収納体の本体の外表面から突出する部位の量を減少させて、見栄えを良好にすると共に、該突出する部位への衝突を防いで、ブザーへの衝撃による損傷を防ぐことができる。
【０００４】
ところで、上記背景技術では、スイッチをオンにしなければブザーが鳴動することはない。このため、当該ブザーを取り付けた物品、例えば、靴を履いた人が居なくなったような場合、バッグを奪い取られたような場合、腰を曲げて当該ブザーを取り付けた物品のリング部材の操作が不自由な人の場合などには、ブザーを鳴動させたくても、それを行うことができない。そのような場合に他の方法でブザーを鳴動させることができれば、周囲の人に知らせるなど好都合である。
【特許文献１】実用新案登録第３１１９１１２号公報
【考案の開示】
【考案が解決しようとする課題】
【０００５】
本考案は、前記した問題点を除去するようにした鳴動物品，リモコン装置及び鳴動システムを提供することを目的としている。
【課題を解決するための手段】
【０００６】
前記した目的を達成するための請求項１記載の鳴動物品は、ブザー及び鳴動制御装置を備えており、この鳴動制御装置は、前記ブザーの鳴動しない「オフ」，前記ブザーを鳴動する「オン」，外部からの電波の受信により前記ブザーを鳴動する「ウエイティング」，の３つの動作状態を有しており、前記３つの動作状態を切り換えるためのスイッチ手段と、このスイッチ手段が「オン」となったときに、前記ブザーに鳴動信号を供給する鳴動手段と、前記スイッチ手段が「ウエイティング」となったときに、外部からの電波の受信に基づいて前記ブザーに鳴動信号を供給する受信手段と、を備えている。
【０００７】
請求項２記載のリモコン装置は、スイッチ操作に応じて、請求項１記載の鳴動物品に対し、ブザーを鳴動させるための鳴動信号を電波として送信する送信手段を備えている。
【０００８】
請求項３記載の鳴動システムは、請求項１記載の鳴動物品と、請求項２記載のリモコン装置とを備えており、前記鳴動物品が前記「ウエイティング」の状態のときに前記リモコン装置の送信手段から電波が送信されると、前記鳴動物品の受信手段で電波を受信して、前記ブザーに鳴動信号が供給される。
【考案の効果】
【０００９】
本考案によれば、「ウエイティング」状態では、リモコン装置を使用して鳴動物品のブザーを鳴動させることができる。このため、リモコン装置を使用することで、奪い取られた鳴動物品を探したり、鳴動物品の使用者を探したり、腰を曲げないで操作することができる。また、それらの事態が生じたことを、周囲の人に知らせることができる。
【考案を実施するための最良の形態】
【００１０】
以下、本考案の一実施例を、図面を参照して説明する。
図１には、本実施例を靴に適用した場合の基本構成が示されている。図１において、靴１０の側面には、上述した背景技術と同様の構造でブザー２０が設けられている。ブザー２０の外周には、ダイヤルスイッチ２２が設けられており、これを回転することによってブザー２０の鳴動制御が行なわれるようになっている。ブザー２０を駆動するための鳴動制御装置３０は、靴１０の中敷き１２の下側であって、足の踵の下側の位置に収納されている。そして、靴１０の底から側面の内側を通る配線２４によって、ブザー２０と鳴動制御装置３０とが接続されている。
【００１１】
ダイヤルスイッチ２２は、３つの状態をとることができ、印ないしマーカー２２Ａを回転し、目盛ＰＦの位置とすると「オフ」，目盛ＰＮの位置とすると「オン」，目盛ＰＷの位置とすると「ウエイティング（待ち）」となる。これらのうち、「オフ」では、ブザー２０に対する通電は行なわれず、ブザー２０は鳴動しない。しかし、「オン」にすると、ブザー２０に鳴動信号が供給されて鳴動する。「ウエイティング」については後述する。
【００１２】
ところで、本実施例では、リモートコントロール装置（以下単に「リモコン装置」という）５０が用意されている。リモコン装置５０は、上述したブザー２０を鳴動するための電波を送信するためのものである。このリモコン装置５０を用いてブザー２０を鳴動させるときは、上述したダイヤルスイッチ２２を、「ウエイティング」の位置にセットする。
【００１３】
次に、図２を参照しながら、上述した鳴動制御装置３０の構成について説明する。図２には、鳴動制御装置３０の構成例が示されている。鳴動制御装置３０は、前記リモコン装置５０から送信された電波を受信アンテナ３２で受信して復調する受信回路３４を備えている。受信アンテナ３２の受信信号出力側は高周波増幅回路３６の入力側に接続されており、この高周波増幅回路３６の出力側は復調回路３８の入力側に接続されている。復調回路３８には、高周波発信回路４０から高周波信号が供給されており、この高周波信号を利用してミキシング，検波などの復調処理が行なわれる。復調回路３８の出力側は、低周波増幅回路４２の入力側に接続されており、この低周波増幅回路４２の出力側がブザー２０に接続されている。
【００１４】
駆動用の電源４４は、上述したダイヤルスイッチ２２を介して各部に駆動用の電力を供給している。すなわち、ダイヤルスイッチ２２の目盛ＰＮに相当する接点は鳴動回路４６に接続されており、鳴動回路４６の鳴動信号出力側はブザー２０に接続されている。また、ダイヤルスイッチ２２の目盛ＰＷに相当する接点は、受信回路３４に含まれている各回路の電源入力側（図示せず）に接続されている。なお、ダイヤルスイッチ２２の目盛ＰＦに相当する接点は開放されており、何も接続されていない。
【００１５】
ここで、鳴動制御装置３０の基本動作を説明すると、まずダイヤルスイッチ２２が目盛ＰＦの位置にセットされたときは、電源４４から各回路への駆動電力の供給が行われないため、ブザー２０は鳴動しない。次に、ダイヤルスイッチ２２が目盛ＰＮの位置にセットされたときは、電源４４から鳴動回路４６に駆動電力が供給される。これにより、鳴動回路４６が動作してブザー２０に鳴動信号が供給され、ブザー２０が鳴動する。
【００１６】
更に、ダイヤルスイッチ２２が目盛ＰＷの位置にセットされたときは、電源４４から受信回路３４に駆動電力が供給され、受信回路３４が動作して電波を受信することができる待機状態となる。そして、この状態で受信アンテナ３２でリモコン装置５０から電波を受信すると、受信信号はまず高周波増幅回路３６で増幅される。増幅後の高周波信号は、復調回路３８で高周波発信回路４０から供給された高周波信号とミキシングされて中間周波数の信号となり、更にフィルタリングなどの処理が行われて鳴動信号が復調される。復調された鳴動信号は、低周波増幅回路４２で増幅された後、ブザー２０に供給され、ブザー２０が鳴動する。
【００１７】
次に、図３を参照しながら、上述したリモコン装置５０の構成について説明する。図３には、リモコン装置５０の構成例が示されている。リモコン装置５０は、前記鳴動制御装置３０に対して電波を送信する送信回路５２を備えている。高周波発振回路５４の出力側は変調回路５６の入力側に接続されており、この変調回路５６には鳴動信号発生回路５８から鳴動信号が供給されている。変調回路５６では、高周波発振回路５４から供給された高周波信号を、鳴動信号発生回路５８から供給された鳴動信号で変調する処理が行なわれる。鳴動信号は、例えば周波数が２００Ｈｚの正弦波信号である。変調回路５６の出力側は増幅回路６０の入力側に接続されており、増幅回路６０の出力側は送信アンテナ６２に接続されている。駆動用の電源６４は、スイッチ６６を介して各部に駆動用の電力を供給している。このスイッチ６６は、図１に示すように、リモコン装置５０の略中央に、押しボタンとして設けられている。
【００１８】
ここで、リモコン装置５０の基本動作を説明すると、リモコン装置５０のスイッチ６６が「オフ」の状態にあるときは、電源６４から送信回路５２に駆動電力が供給されないため、送信回路５２は動作しない。しかし、スイッチ６６が「オン」となると、電源６４から駆動電力が送信回路５２に供給され、送信回路５２が動作する。すなわち、高周波発振回路５４で発振された高周波信号が、変調回路５６で鳴動信号発生回路５８で発生した鳴動信号により変調され、変調後の信号が増幅回路６０で増幅されて送信アンテナ６２から電波として送信される。
【００１９】
なお、上述した受信回路３４，鳴動回路４６を、一つないし複数の集積回路として構成してもよい。送信回路５２についても同様である。また、電源４４，６４としては、例えばボタン電池が好適である。また、送受信に使用する電波のキャリア周波数としては、適用法令の範囲内で設定し、電波の強度がリモコン装置５０を中心とする半径数メートル，例えば５メートル程度となるように設定する。加えて、鳴動信号の周波数は、前記説明では２００Hzとしたが、可聴域で適宜変更してよい。
【００２０】
次に、本実施例の全体動作を説明する。図１に示した靴１０は、例えば、腰を曲げて当該ブザーを取り付けた物品の操作部材の操作が不自由な人、認知症などの要介護者が履く。そして、図１に示したリモコン装置５０は、例えば、不自由な人自身又は介護者が持つ。要介護者は、非常事態が生じてブザー２０を鳴らす必要が生じたときは、ダイヤルスイッチ２２を目盛ＰＦから目盛ＰＮの位置まで回す。すると、上述したようにしてブザー２０が鳴動する。これにより、非常事態が生じたことを、介護者その他の周囲の人に知らせることができる（なお、不自由な人の場合、ダイヤルスイッチ２２を目盛ＰＷの位置まで回しておいて、不自由な人自身がリモコン装置５０のスイッチ６６を「オン」する。）。  
【００２１】
一方、介護者は、例えば要介護者と一緒に外出するような場合に、ダイヤルスイッチ２２を目盛ＰＷの位置まで回しておく。この状態では、リモコン装置５０のスイッチ６６を「オン」にしない限り、送信回路５２に電源６４から駆動電力が供給されず、電波は発信されない。また、靴１０側の鳴動制御装置３０では、電源４４から受信回路３４に駆動電力が供給され、受信回路３４が受信動作可能な待機状態となるものの、リモコン装置５０から電波を受信しない限り、ブザー２０は鳴動しない。
【００２２】
このような状態で、介護者が要介護者を見失ったような場合を想定すると、例えば図４に示すようになる。図示の例では、介護者１００が交差点１１０に道路１１２から進入する直前の位置であるのに対し、要介護者１０２は、交差点１１０を左折して道路１１４の方向に歩いている。この状態では、介護者１００は要介護者１０２を目視できず、見失った状況にある。
【００２３】
しかし、介護者１００がリモコン装置５０のスイッチ６６を「オン」とすると、送信回路５２に駆動電力が供給され、リモコン装置５０の送信アンテナ６２から電波が送信される。この電波が靴１０の鳴動制御装置３０の受信アンテナ３２で受信されると、受信回路３４から復調された鳴動信号がブザー２０に供給され、ブザー２０が鳴動する。介護者１００は、このブザー音を聞くことで、要介護者１０２が道路１１４の方向に居ることを知ることができる。
【００２４】
次に、本考案の他の実施例を説明する。上述した実施例は、靴に本考案を適用したものであるが、ブザー２０や鳴動制御装置３０は、かばんやランドセル，ハンドバッグなど、各種のものに取り付け可能である。例えば、子供の携行品にブザー２０及び鳴動制御装置３０を取り付けるとともに、父兄がリモコン装置５０を持てば、子供の居場所を知ることができる。更に、例えば、ハンドバッグなどの携行品にブザー２０及び鳴動制御装置３０を取り付け、リモコン装置５０を自分自身で持つようにすれば、携行品をひったくられたような場合にリモコン装置５０でブザー２０を鳴らすことができ、これによって犯人を威嚇したり、周囲の人に知らせることができる。
【００２５】
なお、本考案は、何ら上記実施例に限定されるものではなく、例えば、以下のものも含まれる。
（１）前記実施例に示した回路構成は一例であり、同様の作用を奏するように設計変更可能である。電波を利用したリモコンシステムとしては各種の回路構成が知られており、いずれを適用してもよい。
（２）ブザー及び鳴動制御装置を取り付ける対象としては、上述した靴，バッグなどのほか、杖，手押車など、各種のものに取り付けてよい。
【図面の簡単な説明】
【００２６】
【図１】図１は、本考案を履物に適用した実施例の全体構成を示す斜視図である。
【図２】図２は、図１の鳴動制御装置３０の構成を示す回路ブロック図である。
【図３】図３は、図１のリモコン装置５０の構成を示す回路ブロック図である。
【図４】図４は、図１の実施例の使用形態の一例を示す説明図である。
【符号の説明】
【００２７】
１０：靴
２０：ブザー
２２：ダイヤルスイッチ
２２Ａ：印
２４：配線
３０：鳴動制御装置
３２：受信アンテナ
３４：受信回路
３６：高周波増幅回路
３８：復調回路
４０：高周波発信回路
４２：低周波増幅回路
４４：電源
４６：鳴動回路
５０：リモコン装置
５２：送信回路
５４：高周波発振回路
５６：変調回路
５８：鳴動信号発生回路
６０：増幅回路
６２：送信アンテナ
６４：電源
６６：スイッチ
１００：介護者
１０２：要介護者
１１０：交差点
１１２：道路
１１４：道路
ＰＦ：目盛
ＰＮ：目盛
ＰＷ：目盛
【図１】
0003124438.tif 000003
【図２】
0003124438.tif 000004
【図３】
0003124438.tif 000005
【図４】
0003124438.tif 000006